(57)【要約】【課題】システムに追加された機器を画面上に簡便に表示させる。【解決手段】階層構造で管理される複数の機器のそれぞれに対応するアイコンをツリー形式で画面上に表示する機器管理装置１であって、機器の構成に関する構成情報を機器ごとに記憶する構成情報テーブル１６ａと、何れかの機器で発生したアラートイベントを受信する受信部１１と、受信したアラートイベントが着イベントである場合に、機器のアドレスが構成情報テーブルに登録されているアドレスの何れかに一致するか否かを判定する判定部１２と、機器のアドレスが構成情報テーブルのアドレスの何れにも一致しないと判定された場合に、受信したアラートイベントに基づき、構成情報を生成し、構成情報テーブルに登録する構成情報登録部１４と、構成情報テーブルに登録されている構成情報に基づき、上記アイコンを画面上に表示する表示部１５と、を備える。【選択図】図１
2013141185.tif 000002
【特許請求の範囲】
【請求項１】
階層構造で管理される複数の機器のそれぞれに対応する指標をツリー形式で画面上に表示する機器管理装置であって、
前記機器の構成に関する構成情報を前記機器ごとに記憶する記憶部と、
何れかの前記機器で発生したアラートイベントを受信する受信部と、
前記受信部により受信された前記アラートイベントが、前記機器が前記システムに接続されたときに発生する着イベントである場合に、前記機器のアドレスが、前記記憶部に記憶されている前記構成情報に含まれるアドレスの何れかに一致するか否かを判定する判定部と、
前記判定部により前記機器のアドレスが前記構成情報に含まれるアドレスの何れにも一致しないと判定された場合に、前記受信部により受信された前記アラートイベントに基づき、前記構成情報を生成し、前記記憶部に記憶させる構成情報登録部と、
前記記憶部に記憶されている前記構成情報に基づき、前記指標を前記画面上に表示する表示部と、
を備えることを特徴とする機器管理装置。
【請求項２】
前記判定部により前記機器のアドレスが前記構成情報に含まれるアドレスの何れにも一致しないと判定された場合に、前記アラートイベントに対応する前記機器を登録するかどうかの指示を入力するように要求する登録指示要求部を、さらに備え、
前記構成情報登録部は、前記登録指示要求部による要求に対する応答として前記機器を登録する旨の指示を受け取った場合に、前記構成情報を生成し、前記記憶部に記憶させる、
ことを特徴とする請求項１記載の機器管理装置。
【請求項３】
前記構成情報登録部は、前記構成情報を生成する際に、前記アラートイベントに存在しない情報を前記機器から取得する、
ことを特徴とする請求項１または２記載の機器管理装置。
【請求項４】
階層構造で管理される複数の機器のそれぞれに対応する指標をツリー形式で画面上に表示する機器管理方法であって、
何れかの前記機器で発生したアラートイベントを受信する受信ステップと、
前記受信ステップにおいて受信された前記アラートイベントが、前記機器が前記システムに接続されたときに発生する着イベントである場合に、前記機器のアドレスが、前記機器の構成に関する構成情報を前記機器ごとに記憶する記憶部に記憶されている前記構成情報に含まれるアドレスの何れかに一致するか否かを判定する判定ステップと、
前記判定ステップにおいて前記機器のアドレスが前記構成情報に含まれるアドレスの何れにも一致しないと判定された場合に、前記受信ステップにおいて受信された前記アラートイベントに基づき、前記構成情報を生成し、前記記憶部に登録する構成情報登録ステップと、
前記記憶部に登録されている前記構成情報に基づき、前記指標を前記画面上に表示する表示ステップと、
を含むことを特徴とする機器管理方法。
【発明の詳細な説明】
【技術分野】
【０００１】
本発明は、機器管理装置および機器管理方法に関する。
【背景技術】
【０００２】
生産プロセスを管理する現場では、プラント内に多数の機器（例えばセンサ機器やバルブポジショナ等のデバイス）を配置してプロセスを管理する。プラント内の各機器は、一般に階層構造を成して接続される。したがって、機器を管理するシステムでは、その階層構造に合わせたツリー形式で機器を管理画面上に表示させ、複雑に配置されている多数の機器を把握し易くしている。下記特許文献１には、機器をツリー形式で表示し、各機器で発生したアラートの状態をアイコンで表示する管理システムが開示されている。
【先行技術文献】
【特許文献】
【０００３】
【特許文献１】特開２００５−３４６４４４号公報
【発明の概要】
【発明が解決しようとする課題】
【０００４】
特許文献１の管理システムでは、ツリー形式で画面上に表示する各機器の情報を管理装置で一元的に管理している。言い換えると、新たな機器をシステムに追加した場合には、その機器の情報を管理装置に登録しなければ、追加した機器を画面上に表示することはできない。一方、機器の情報には、階層構造に関する情報等も含まれており、機器を登録する際にはその機器の階層情報等についても事前に把握しておく必要がある。したがって、機器を追加するたびに登録作業が発生すると、管理者の作業負担が増大してしまう。
【０００５】
本発明は、上述した従来技術による問題点を解消するためになされたものであり、システムに追加された機器を画面上に簡便に表示させることができる機器管理装置および機器管理方法を提供することを目的とする。
【課題を解決するための手段】
【０００６】
本発明に係る機器管理装置は、階層構造で管理される複数の機器のそれぞれに対応する指標をツリー形式で画面上に表示する機器管理装置であって、前記機器の構成に関する構成情報を前記機器ごとに記憶する記憶部と、何れかの前記機器で発生したアラートイベントを受信する受信部と、前記受信部により受信された前記アラートイベントが、前記機器が前記システムに接続されたときに発生する着イベントである場合に、前記機器のアドレスが、前記記憶部に記憶されている前記構成情報に含まれるアドレスの何れかに一致するか否かを判定する判定部と、前記判定部により前記機器のアドレスが前記構成情報に含まれるアドレスの何れにも一致しないと判定された場合に、前記受信部により受信された前記アラートイベントに基づき、前記構成情報を生成し、前記記憶部に記憶させる構成情報登録部と、前記記憶部に記憶されている前記構成情報に基づき、前記指標を前記画面上に表示する表示部と、を備える。
【０００７】
また、本発明に係る機器管理方法は、階層構造で管理される複数の機器のそれぞれに対応する指標をツリー形式で画面上に表示する機器管理方法であって、何れかの前記機器で発生したアラートイベントを受信する受信ステップと、前記受信ステップにおいて受信された前記アラートイベントが、前記機器が前記システムに接続されたときに発生する着イベントである場合に、前記機器のアドレスが、前記機器の構成に関する構成情報を前記機器ごとに記憶する記憶部に記憶されている前記構成情報に含まれるアドレスの何れかに一致するか否かを判定する判定ステップと、前記判定ステップにおいて前記機器のアドレスが前記構成情報に含まれるアドレスの何れにも一致しないと判定された場合に、前記受信ステップにおいて受信された前記アラートイベントに基づき、前記構成情報を生成し、前記記憶部に登録する構成情報登録ステップと、前記記憶部に登録されている前記構成情報に基づき、前記指標を前記画面上に表示する表示ステップと、を含む。
【０００８】
かかる構成を採用することで、機器がシステムに接続されたときに発生する着イベントを受信し、かつ、その機器のアドレスが構成情報に含まれるアドレスの何れにも一致しない場合に、その機器の構成情報を生成して記憶部に登録することができ、その登録後の構成情報に基づいて、システムに接続されている複数の機器に対応する指標をツリー形式で画面上に表示させることができる。それゆえに、機器をシステムに追加接続した場合であっても、その機器に対応する指標を簡便に画面上に表示させることができる。
【０００９】
上記判定部により前記機器のアドレスが前記構成情報に含まれるアドレスの何れにも一致しないと判定された場合に、前記アラートイベントに対応する前記機器を登録するかどうかの指示を入力するように要求する登録指示要求部を、さらに備え、前記構成情報登録部は、前記登録指示要求部による要求に対する応答として前記機器を登録する旨の指示を受け取った場合に、前記構成情報を生成し、前記記憶部に記憶させる、こととしてもよい。
【００１０】
これにより、管理者に登録が容認された場合に限り、追加接続された機器の構成情報を登録することができるため、過誤等により接続された機器の構成情報が登録されてしまう事態を防止することができる。
【００１１】
上記構成情報登録部は、前記構成情報を生成する際に、前記アラートイベントに存在しない情報を前記機器から取得する、こととしてもよい。
【００１２】
これにより、アラートイベントに存在しない情報を管理者が補足入力する手間を省くことが可能となる。
【発明の効果】
【００１３】
本発明によれば、システムに追加された機器を画面上に簡便に表示させることができる機器管理装置および機器管理方法を提供することができる。
【図面の簡単な説明】
【００１４】
【図１】実施形態における機器管理装置を含む機器管理システムの構成を例示する図である。
【図２】図１に示す構成情報テーブルのデータ構成を例示する図である。
【図３】図１に示すイベント履歴情報テーブルのデータ構成を例示する図である。
【図４】ツリー形式で画面上に表示するアイコンの一例を示す図である。
【図５】実施形態における機器管理装置の動作を説明するためのフローチャートである。
【発明を実施するための形態】
【００１５】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施できる。
【００１６】
図１は、本発明の実施形態における機器管理装置を含む機器管理システムの概略構成を示す図である。図１に示すように、機器管理システム１００は、機器管理装置１と、一つまたは複数のコントローラ２と、一つまたは複数のデバイス３と、を備える。コントローラ２およびデバイス３は階層関係にある機器であり、コントローラ２が上位階層に位置し、デバイス３がコントローラ２の下位階層に位置する。
【００１７】
デバイス３は、プラント内に配置される機器であり、例えばフィールドバスを介してコントローラ２と双方向に通信する機能を有する。フィールドバスは、デジタル信号で双方向通信可能な通信方式のネットワークであり、その通信仕様は、フィールドバス協会（Fieldbus Foundation（登録商標））によって、ファウンデーションフィールドバス(Foundation Fieldbus)として規格化（標準化）されている。
【００１８】
デバイス３としては、例えば、流量や圧力、温度等を検出する各種センサ機器、流量制御弁や圧力制御弁等の各種バルブを制御するバルブポジショナ、ポンプやファン等を動作させる各種アクチュエータ等が該当する。
【００１９】
コントローラ２は、下位階層に位置するデバイス３を統括制御する機器である。コントローラ２は、例えば、センサ機器から取得した流量や圧力等の測定値に基づいて、バルブポジショナを制御することで、配管に設けられたバルブの開度等を調節する。
【００２０】
機器管理装置１は、コントローラ２やデバイス３の機器情報を管理する装置である。機器管理装置１は、物理的には、例えば、ＣＰＵ（Central Processing Unit、）等の制御装置（不図示）と、メモリやＨＤＤ（Hard Disk Drive）等の記憶装置（不図示）と、入力装置（不図示）と、表示装置（不図示）とを備える。記憶装置は、機器情報を格納する各種のテーブルとして、例えば、構成情報テーブル１６ａおよびイベント履歴情報テーブル１６ｂを備える。
【００２１】
構成情報テーブル１６ａは、コントローラ２やデバイス３のコンフィギュレーションに関する構成情報を格納する記憶部である。図２を参照して、構成情報テーブル１６ａのデータ構成について説明する。構成情報テーブル１６ａは、データ項目として、例えば、機器識別情報項目、アドレス情報項目、階層情報項目、リビジョン番号項目およびパラメータ項目を有する。
【００２２】
機器識別情報項目は、コントローラ２やデバイス３を一意に特定する機器識別情報を格納する。アドレス情報項目は、コントローラ２やデバイス３のシステム内での所在を示すアドレス情報を格納する。階層情報項目は、自器と階層関係にある親ノードの機器識別情報および子ノードの機器識別情報を格納する。
【００２３】
リビジョン番号項目は、パラメータ項目に格納されるパラメータを変更するたびにカウントアップされるリビジョン番号を格納する。パラメータ項目は、パラメータを一意に特定するパラメータＩＤとそのパラメータの値とを一組にした複数組のパラメータ情報を格納する。
【００２４】
イベント履歴情報テーブル１６ｂは、コントローラ２やデバイス３で発生するアラートイベントに関するイベント情報を履歴情報として蓄積する記憶部である。図３を参照して、イベント履歴情報テーブル１６ｂのデータ構成について説明する。構成情報テーブル１６ａは、データ項目として、例えば、機器識別情報項目、発生時刻項目、通知時刻項目、種別項目、着脱フラグ項目、リビジョン項目、対象パラメータ項目および変更値項目を有する。
【００２５】
機器識別情報項目は、コントローラ２やデバイス３を一意に特定する機器識別情報を格納する。発生時刻項目は、コントローラ２やデバイス３でアラートイベントが発生したときの時刻である発生時刻を格納する。通知時刻項目は、コントローラ２やデバイス３で発生したアラートイベントを通知したときの時刻である通知時刻を格納する。発生時刻の他に通知時刻を設けたのは、コントローラ２やデバイス３がシステムから切り離されることを考慮したためである。コントローラ２やデバイス３がシステムから切り離された場合には、アラートイベントが発生してもその旨を通知することができず、システムに再接続してから、切り離されていた間に発生したアラートイベントを通知することになる。そこで、発生時刻の他に通知時刻を設け、切り離されていた間に発生したアラートを管理できるようにしたものである。
【００２６】
種別項目は、アラートイベントの種別を格納する。アラートイベントの種別としては、例えば、“着脱”、“アップデート”および“アラーム”がある。“着脱”は、アラートイベントがコントローラ２やデバイス３を接続／非接続にしたときに発生する着脱イベントであることを示す。“アップデート”は、アラートイベントがコントローラ２やデバイス３のパラメータを変更したときに発生するアップデートイベントであることを示す。“アラーム”は、アラートイベントがコントローラ２やデバイス３で発生したアラームを通知するためのアラームイベントであることを示す。
【００２７】
着脱フラグ項目は、アラートイベントが着脱イベントである場合に付随するデータ項目であり、接続／非接続のいずれかを示すフラグ情報を格納する。図３では、接続を示すフラグ情報として“着”が格納され、非接続を示すフラグ情報として“脱”が格納されている。フラグ情報が“着”である着脱イベントを着イベントともいい、フラグ情報が“脱”である着脱イベントを脱イベントともいう。
【００２８】
リビジョン項目、対象パラメータ項目および変更値項目は、アラートイベントがアップデートイベントである場合に付随するデータ項目である。リビジョン項目は、アップデート後のリビジョン番号を格納する。対象パラメータ項目は、アップデート対象のパラメータＩＤを格納する。変更値項目は、変更後のパラメータ値を格納する。
【００２９】
機器管理システム１００では、上位側の機器が下位側の機器の通信状態情報を収集する。通信状態情報は、データ通信の成否情報を含む機器の通信状態に関する情報である。上位側の機器は、収集した通信状態情報に含まれるデータ通信の成否情報に基づいて、下位側の機器の接続状態を判定し、着脱イベントを生成して機器管理装置１宛てに送信する。
【００３０】
ここで、上位階層の機器が非接続にされた場合には、その機器およびその機器の下位階層に位置する全ての機器に対応する着脱イベントとして、着脱フラグ項目に“脱”を格納した脱イベントが発行され、イベント履歴情報テーブル１６ｂに蓄積される。一方、上位階層の機器が接続された場合には、その機器およびその機器の下位階層に位置する全ての機器に対応する着脱イベントとして、着脱フラグ項目に“着”を格納した着イベントが発行され、イベント履歴情報テーブル１６ｂに蓄積される。
【００３１】
図１に示すように、機器管理装置１は、機能的には、例えば、受信部１１と、判定部１２と、登録指示要求部１３と、構成情報登録部１４と、表示部１５とを有する。
【００３２】
受信部１１は、何れかの機器で発生したアラートイベントを受信する。
【００３３】
判定部１２は、受信部１１により受信されたアラートイベントが着イベントであるか否かを判定する。判定部１２は、受信部１１により受信されたアラートイベントが着イベントである場合に、アラートイベントを発生した機器のアドレスが、構成情報テーブル１６ａに格納されている何れかのアドレスと一致するか否かを判定する。
【００３４】
これは、機器をシステムに追加接続した場合には、その機器から着イベントが発信され、その機器のアドレスを含む構成情報は未登録の状態となるため、このような判定を行うことで、機器がシステムに追加接続されたか否かを判断することが可能となる。
【００３５】
登録指示要求部１３は、判定部１２により機器のアドレスが構成情報テーブル１６ａに格納されているアドレスの何れにも一致しないと判定された場合に、アラートイベントを発生した機器をシステムに登録するかどうかの指示を入力するように要求する。この要求は、管理者に対して指示を入力するように促せるものであればよく、例えば、指示入力画面の表示、メッセージの表示、音声メッセージの出力、メールの送信等を利用して入力を促せればよい。
【００３６】
構成情報登録部１４は、登録指示要求部１３による要求に対する応答として機器を登録する旨の登録容認の指示を受け取った場合に、受信部１１により受信されたアラートイベントに基づいて構成情報を生成し、構成情報テーブル１６ａに登録する。構成情報登録部１４は、構成情報を生成する際に、アラートイベントに存在しない情報である不足情報があるか否かを判定する。構成情報登録部１４は、不足情報がある場合には、その不足情報を機器から取得し、この不足情報と、受信部１１により受信されたアラートイベントとに基づいて構成情報を生成し、構成情報テーブル１６ａに登録する。
【００３７】
表示部１５は、現時点において構成情報テーブル１６ａに格納されている構成情報に基づいて、各機器に対応する指標をツリー形式で画面上に表示する。指標として、例えばアイコンを用いることができる。これにより、新たな機器がシステムに追加され、その機器の構成情報が構成情報テーブル１６ａに登録された時点で、その機器に対応するアイコンを画面上に表示させることができる。
【００３８】
アイコンの表示形態は、そのアイコンに対応する機器の状態に応じて決定することができる。機器の状態としては、例えば、システムへの接続の有無、アラートイベントの優先度、アラートイベントの確認／未確認状態等が該当する。接続の有無は、着脱イベントにより判断することができる。優先度および確認／未確認状態は、例えばアラートイベントに優先度情報および確認／未確認フラグを設定し、これらを参照することで判断することができる。
【００３９】
図４に、機器に対応するアイコンをツリー形式で画面上に表示した一例を示す。図４は、上位階層に位置する１つの機器の下位側に３つの機器が位置する状態をツリー形式で表した図である。
【００４０】
上位階層に位置する１つの機器の指標表示領域には、機器がシステムに接続中であることを示すアイコンＩａ１と、その機器における最も高い優先度を示すアイコンＩａ２とが表示されている。また、下位階層に位置する３つの機器の指標表示領域には、各機器がシステムに接続中であることを示すアイコンＩｂ１、Ｉｃ１、Ｉｄ１と、各機器における最も高い優先度を示すアイコンＩｂ２、Ｉｃ２、Ｉｄ２とがそれぞれ表示されている。
【００４１】
次に、図５を参照して、実施形態における機器管理装置１の動作について説明する。
【００４２】
最初に、受信部１１は、何れかの機器で発生したアラートイベントを受信する（ステップＳ１０１）。
【００４３】
続いて、判定部１２は、上記ステップＳ１０１で受信したアラートイベントが着イベントであるか否かを判定する（ステップＳ１０２）。この判定がＮＯである場合（ステップＳ１０２；ＮＯ）には、処理を後述するステップＳ１０９に移行する。
【００４４】
一方、上記ステップＳ１０２の判定で着イベントであると判定された場合（ステップＳ１０２；ＹＥＳ）に、判定部１２は、アラートイベントを発生した機器のアドレスが、構成情報テーブル１６ａに格納されている何れかのアドレスと一致するか否かを判定する（ステップＳ１０３）。この判定がＹＥＳである場合（ステップＳ１０３；ＹＥＳ）には、処理を後述するステップＳ１０９に移行する。
【００４５】
一方、上記ステップＳ１０３の判定で機器のアドレスが構成情報テーブル１６ａに格納されているアドレスの何れにも一致しないと判定された場合（ステップＳ１０３；ＮＯ）に、登録指示要求部１３は、アラートイベントを発生した機器をシステムに登録するかどうかの指示を入力するように要求する（ステップＳ１０４）。
【００４６】
続いて、上記ステップＳ１０４での要求に対する応答として登録容認の指示を受け取った場合（ステップＳ１０５；ＹＥＳ）に、構成情報登録部１４は、上記ステップＳ１０１で受信したアラートイベントに存在しない不足情報があるか否かを判定する（ステップＳ１０６）。この判定がＮＯである場合（ステップＳ１０６；ＮＯ）には、処理を後述するステップＳ１０８に移行する。
【００４７】
一方、上記ステップＳ１０６の判定で不足情報があると判定された場合（ステップＳ１０６；ＹＥＳ）に、構成情報登録部１４は、その不足情報を機器から取得する（ステップＳ１０７）。
【００４８】
続いて、構成情報登録部１４は、上記ステップＳ１０１で受信したアラートイベントおよび／または上記ステップＳ１０７で取得した不足情報に基づいて構成情報を生成し、生成した構成情報を構成情報テーブル１６ａに登録する（ステップＳ１０８）。
【００４９】
続いて、表示部１５は、最新の構成情報テーブル１６ａに格納されている構成情報に基づいて、各機器に対応するアイコンをツリー形式で画面上に表示する（ステップＳ１０９）。そして、本動作を終了する。
【００５０】
上述してきたように、実施形態における機器管理装置１によれば、判定部１２を備えることで、アラートイベントが着イベントであるか否か、アラートイベントを発生した機器のアドレスが構成情報テーブル１６ａに格納されている何れかのアドレスと一致するか否かを判定することができる。また、構成情報登録部１４を備えることで、追加接続された機器の構成情報を生成し、構成情報テーブル１６ａに登録することができる。また、表示部１５を備えることで、現時点の構成情報に基づいて、各機器に対応するアイコンをツリー形式で画面上に表示することができる。
【００５１】
これにより、機器がシステムに接続されたときに発生する着イベントを受信し、かつ、その機器のアドレスが構成情報テーブル１６ａに格納されているアドレスの何れにも一致しない場合に、その機器の構成情報を生成して構成情報テーブル１６ａに登録することができ、その登録後の構成情報に基づいて、システムに接続されている複数の機器に対応するアイコンをツリー形式で画面上に表示させることができる。したがって、機器をシステムに追加接続した場合であっても、その機器に対応するアイコンを簡便に画面上に表示させることができる。
【００５２】
また、実施形態における機器管理装置１によれば、登録指示要求部１３を備えることで、判定部１２により機器のアドレスが構成情報テーブル１６ａに格納されているアドレスの何れにも一致しないと判定された場合に、アラートイベントに対応する機器を登録するかどうかの指示を入力するように管理者に要求することができる。
【００５３】
これにより、管理者に登録が容認された場合に限り、追加接続された機器の構成情報を登録することができるため、過誤等により接続された機器の構成情報が誤って登録されてしまう事態を防止することができる。
【００５４】
また、実施形態における機器管理装置１によれば、構成情報登録部１４が構成情報を生成する際に、アラートイベントに存在しない情報を機器から取得するため、アラートイベントに存在しない情報を管理者が補足入力する手間を省くことが可能となる。
【００５５】
なお、上述した実施形態における機器管理装置１が有する機能構成のうち、登録指示要求部１３は必須の構成要素ではない。登録指示要求部１３を省略する場合には、判定部１２によって機器のアドレスが構成情報テーブル１６ａに格納されているアドレスの何れにも一致しないと判定された場合に、構成情報登録部１４が、受信部１１により受信されたアラートイベントに基づいて、構成情報を生成し、構成情報テーブル１６ａに登録すればよい。
【００５６】
また、上述した実施形態では、フィールドバスを介してコントローラと双方向に通信する機能を有する機器を、デバイス３の例示として用いているが、本発明に適用可能な機器は、これに限定されない。例えば、ＨＡＲＴ（Highway Addressable Remote Transducer）通信機能を搭載した機器（以下、「ＨＡＲＴ通信対応機器」という。）を、デバイス３として用いてもよい。この場合にも、上述した実施形態と同様に、ＨＡＲＴ通信対応機器の着脱状態に応じて機器管理装置１宛てに着脱イベントが送信されるようにすればよい。
【符号の説明】
【００５７】
１    機器管理装置
２    コントローラ
３    デバイス
１１  受信部
１２  判定部
１３  登録指示要求部
１４  構成情報登録部
１５  表示部
１６  機器情報記憶部
１６ａ      構成情報テーブル
１６ｂ      イベント履歴情報テーブル
１００      機器管理システム
【図１】
2013141185.tif 000003
【図２】
2013141185.tif 000004
【図３】
2013141185.tif 000005
【図５】
2013141185.tif 000006
【図４】
2013141185.tif 000007
【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
管理される複数の機器のそれぞれに対応する指標を画面上に表示する機器管理装置であって、
前記機器の構成に関する構成情報を前記機器ごとに記憶する記憶部と、
何れかの前記機器で発生した事象をアラートイベントとして受信する受信部と、
前記受信部により受信された前記アラートイベントが、前記機器が前記システムに接続されたときに発生する着イベントである場合に、前記機器のアドレスが、前記記憶部に記憶されている前記構成情報に含まれるアドレスの何れかに一致するか否かを判定する判定部と、
前記判定部により前記機器のアドレスが前記構成情報に含まれるアドレスの何れにも一致しないと判定された場合に、前記受信部により受信された前記アラートイベントに基づき、前記構成情報を生成し、前記記憶部に記憶させる構成情報登録部と、
前記記憶部に記憶されている前記構成情報に基づき、前記指標を前記画面上に表示する表示部と、
を備えることを特徴とする機器管理装置。
【請求項２】
前記判定部により前記機器のアドレスが前記構成情報に含まれるアドレスの何れにも一致しないと判定された場合に、前記アラートイベントに対応する前記機器を登録するかどうかの指示を入力するように要求する登録指示要求部を、さらに備え、
前記構成情報登録部は、前記登録指示要求部による要求に対する応答として前記機器を登録する旨の指示を受け取った場合に、前記構成情報を生成し、前記記憶部に記憶させる、
ことを特徴とする請求項１記載の機器管理装置。
【請求項３】
前記構成情報登録部は、前記構成情報を生成する際に、前記アラートイベントに存在しない情報を前記機器から取得する、
ことを特徴とする請求項１または２記載の機器管理装置。
【請求項４】
管理される複数の機器のそれぞれに対応する指標を画面上に表示する機器管理方法であって、
何れかの前記機器で発生した事象をアラートイベントとして受信する受信ステップと、
前記受信ステップにおいて受信された前記アラートイベントが、前記機器が前記システムに接続されたときに発生する着イベントである場合に、前記機器のアドレスが、前記機器の構成に関する構成情報を前記機器ごとに記憶する記憶部に記憶されている前記構成情報に含まれるアドレスの何れかに一致するか否かを判定する判定ステップと、
前記判定ステップにおいて前記機器のアドレスが前記構成情報に含まれるアドレスの何れにも一致しないと判定された場合に、前記受信ステップにおいて受信された前記アラートイベントに基づき、前記構成情報を生成し、前記記憶部に登録する構成情報登録ステップと、
前記記憶部に登録されている前記構成情報に基づき、前記指標を前記画面上に表示する表示ステップと、
を含むことを特徴とする機器管理方法。
【手続補正２】
【補正対象書類名】明細書
【補正対象項目名】０００６
【補正方法】変更
【補正の内容】
【０００６】
本発明に係る機器管理装置は、管理される複数の機器のそれぞれに対応する指標を画面上に表示する機器管理装置であって、前記機器の構成に関する構成情報を前記機器ごとに記憶する記憶部と、何れかの前記機器で発生した事象をアラートイベントとして受信する受信部と、前記受信部により受信された前記アラートイベントが、前記機器が前記システムに接続されたときに発生する着イベントである場合に、前記機器のアドレスが、前記記憶部に記憶されている前記構成情報に含まれるアドレスの何れかに一致するか否かを判定する判定部と、前記判定部により前記機器のアドレスが前記構成情報に含まれるアドレスの何れにも一致しないと判定された場合に、前記受信部により受信された前記アラートイベントに基づき、前記構成情報を生成し、前記記憶部に記憶させる構成情報登録部と、前記記憶部に記憶されている前記構成情報に基づき、前記指標を前記画面上に表示する表示部と、を備える。
【手続補正３】
【補正対象書類名】明細書
【補正対象項目名】０００７
【補正方法】変更
【補正の内容】
【０００７】
また、本発明に係る機器管理方法は、管理される複数の機器のそれぞれに対応する指標を画面上に表示する機器管理方法であって、何れかの前記機器で発生した事象をアラートイベントとして受信する受信ステップと、前記受信ステップにおいて受信された前記アラートイベントが、前記機器が前記システムに接続されたときに発生する着イベントである場合に、前記機器のアドレスが、前記機器の構成に関する構成情報を前記機器ごとに記憶する記憶部に記憶されている前記構成情報に含まれるアドレスの何れかに一致するか否かを判定する判定ステップと、前記判定ステップにおいて前記機器のアドレスが前記構成情報に含まれるアドレスの何れにも一致しないと判定された場合に、前記受信ステップにおいて受信された前記アラートイベントに基づき、前記構成情報を生成し、前記記憶部に登録する構成情報登録ステップと、前記記憶部に登録されている前記構成情報に基づき、前記指標を前記画面上に表示する表示ステップと、を含む。
【手続補正４】
【補正対象書類名】明細書
【補正対象項目名】０００８
【補正方法】変更
【補正の内容】
【０００８】
かかる構成を採用することで、機器がシステムに接続されたときに発生する着イベントを受信し、かつ、その機器のアドレスが構成情報に含まれるアドレスの何れにも一致しない場合に、その機器の構成情報を生成して記憶部に登録することができ、その登録後の構成情報に基づいて、システムに接続されている複数の機器に対応する指標を画面上に表示させることができる。それゆえに、機器をシステムに追加接続した場合であっても、その機器に対応する指標を簡便に画面上に表示させることができる。